(57)【要約】【課題】所定の角度範囲にわたって所定以上の光度を実現する。【解決手段】本発明の一実施形態に係る灯器は、光源基板１１と、仕切板１３と、リフレクタ１２と、支持体（インナーカバー３０）とを具備する。光源基板１１は、第１の光源１５１と第２の光源１５２とを搭載し、第１の軸方向に直交する。仕切板１３は、第１の光源１５１と第２の光源１５２との間に配置され、上記第１の軸方向と直交する第２の軸方向に沿って延びる。リフレクタ１２は、第１の反射体１２１と、第２の反射体１２２とを有する。第１の反射体１２１は、第１の光源１５１から出射した光を上記第１の軸まわりの第１の角度範囲にわたって反射することが可能に構成される。第２の反射体１２２は、第２の光源１５２から出射した光を上記第１の角度範囲とは異なる上記第１の軸まわりの第２の角度範囲にわたって反射することが可能に構成される。【選択図】図５
2015076260.tif 000002
【特許請求の範囲】
【請求項１】
第１の光源と第２の光源とを搭載し、第１の軸方向に直交する光源基板と、
前記第１の光源と前記第２の光源との間に配置され、前記第１の軸方向と直交する第２の軸方向に沿って延びる仕切板と、
前記第１の光源から出射した光を前記第１の軸まわりの第１の角度範囲にわたって反射することが可能な第１の反射体と、前記第２の光源から出射した光を前記第１の角度範囲とは異なる前記第１の軸まわりの第２の角度範囲にわたって反射することが可能な第２の反射体とを有するリフレクタと、
前記光源基板、前記仕切板および前記リフレクタを支持し、前記第１の反射体および前記第２の反射体で反射された光を透過させる周壁部を有する支持体と
を具備する灯器。
【請求項２】
請求項１に記載の灯器であって、
前記第１の反射体は、
前記第１の軸方向に前記第１の光源と対向する第１の頂部と、
前記第１の頂部を中心とする回転曲線からなる第１の曲面体上に設けられ、前記第１の頂部を中心として同心円状に配列された複数の第１の円弧状凸面部と、を有する
灯器。
【請求項３】
請求項２に記載の灯器であって、
前記第２の反射体は、
前記第１の軸方向に前記第２の光源と対向する第２の頂部と、
前記第２の頂部を中心とする回転曲線からなる第２の曲面体上に設けられ、前記第２の頂部を中心として同心円状に配列された複数の第２の円弧状凸面部と、を有する
灯器。
【請求項４】
請求項３に記載の灯器であって、
前記第１の反射体および前記第２の反射体はそれぞれ、前記仕切板に関して対称な形状を有する
灯器。
【請求項５】
請求項１〜４のいずれか１項に記載の灯器であって、
前記リフレクタおよび前記仕切板は、それぞれ一体成形された単一の部材で構成される
灯器。
【請求項６】
請求項１〜５のいずれか１項に記載の灯器であって、
前記第１の光源および前記第２の光源は、それぞれ異なる波長域の可視光を出射可能な発光素子で構成される
灯器。
【請求項７】
請求項６に記載の灯器であって、
前記第１の光源は、緑色光を出射可能な発光素子で構成され、
前記第２の光源は、赤色光を出射可能な発光素子で構成される
灯器。
【請求項８】
請求項１〜７のいずれか１項に記載の灯器であって、
前記周壁部に設けられ、前記周壁部からの光の出射範囲を制限する遮光部材をさらに具備する
灯器。
【発明の詳細な説明】
【技術分野】
【０００１】
本発明は、例えば船灯の一種である両色灯に用いて好適な灯器に関する。
【背景技術】
【０００２】
航海、航空の交通の安全を期すため、法律や規則により、船体や航空機体への灯器の取り付けが義務づけられており、例えば、その取り付け位置ごとの光の射光範囲、および出射光の色などが細かく定められている。例えば、船体への装備が義務付けられた船灯として、マスト灯、船尾灯、右舷灯、左舷灯等が知られている。さらに、右舷灯と左舷灯とを一体化した両色灯も知られている（例えば下記特許文献１参照）。
【０００３】
近年では、光源として例えば発光ダイオードを用いた灯器が提案されており、発光ダイオードによる光度や配光等の技術に関する提案がなされている。例えば下記特許文献２（段落［００１３］には、発光素子と、発光素子が発する光を反射するメインリフレクタ及びサブリフレクタとを備えた灯具が記載されている。
【先行技術文献】
【特許文献】
【０００４】
【特許文献１】特開平６−１１５４９１号公報
【特許文献２】特開２０１２−２１６３３４号公報
【発明の概要】
【発明が解決しようとする課題】
【０００５】
しかしながら、特許文献２には当該灯具の適用例として両色灯が挙げられているが、その具体的な構成は記載されていない。また一般に、両色灯には、右舷灯および左舷灯各々に要求される光度、射光範囲を一台の灯具で容易に実現できることが要求される。
【０００６】
以上のような事情に鑑み、本発明の目的は、所定の角度範囲にわたって所定以上の光度を実現することができる灯器を提供することにある。
【課題を解決するための手段】
【０００７】
上記目的を達成するため、本発明の一形態に係る灯器は、光源基板と、仕切板と、リフレクタと、支持体とを具備する。
上記光源基板は、第１の光源と第２の光源とを搭載し、第１の軸方向に直交する。
上記仕切板は、上記第１の光源と上記第２の光源との間に配置され、上記第１の軸方向と直交する第２の軸方向に沿って延びる。
上記リフレクタは、第１の反射体と、第２の反射体とを有する。上記第１の反射体は、上記第１の光源から出射した光を上記第１の軸まわりの第１の角度範囲にわたって反射することが可能に構成される。上記第２の反射体は、上記第２の光源から出射した光を上記第１の角度範囲とは異なる上記第１の軸まわりの第２の角度範囲にわたって反射することが可能に構成される。
上記支持体は、上記光源基板、上記仕切板および上記リフレクタを収容し、上記第１の反射体および上記第２の反射体で反射された光を透過させる周壁部を有する。
【０００８】
上記灯器は、照射範囲毎に独立した光源および反射体を有するため、照射光の光学設計を最適化でき、所定の角度範囲にわたって所定以上の光度を容易に実現することが可能となる。
【０００９】
上記灯器は、第１の角度範囲に照射される光の色と第２の角度範囲に照射される光の色とが相互に異なるように構成される。典型的には、各光源が相互に異なる波長域の可視光を出射可能な発光素子で構成される。これ以外にも、各光源を白色光を出射する発光素子で構成するとともに、上記周壁部の光透過領域が各々所定の色に着色されていてもよい。
【００１０】
上記第１の反射体は、第１の頂部と、複数の第１の円弧状凸面部とを有してもよい。上記第１の頂部は、上記第１の軸方向に上記第１の光源と対向する。上記複数の第１の円弧状凸面部は、上記第１の頂部を中心とする回転曲線からなる第１の曲面体上に設けられ、上記第１の頂部を中心として同心円状に配列される。
上記構成によれば、個々の円弧状凸面部における光の拡散機能により、光源の配置誤差や周辺の付属物による影響を緩和し、これにより周方向および軸方向の所定範囲にわたって光度のバラツキを抑えつつ、所定値以上の光度を実現することが可能となる。
【００１１】
同様に、上記第２の反射体は、第２の頂部と、複数の第２の円弧状凸面部とを有してもよい。上記第２の頂部は、上記第１の軸方向に上記第２の光源と対向する。上記複数の第２の円弧状凸面部は、上記第２の頂部を中心とする回転曲線からなる第２の曲面体上に設けられ、上記第２の頂部を中心として同心円状に配列される。
【００１２】
上記第１の反射体および上記第２の反射体はそれぞれ、上記仕切板に関して対称な形状を有してもよい。
これにより第１および第２の角度範囲に照射される光の光学特性を共通にすることができる。
【００１３】
上記リフレクタおよび上記仕切板は、それぞれ一体成形された単一の部材で構成されてもよい。
これにより部材の共通化、組立ての簡素化を図ることができるとともに、小型のリフレクタユニットを構成することが可能となる。
【００１４】
上記灯器は、上記周壁部に設けられ上記周壁部からの光の出射範囲を制限する遮光部材をさらに具備してもよい。
これにより、用途に応じた最適な照射角度の設定が可能となる。
【発明の効果】
【００１５】
以上、本発明によれば、所定の角度範囲にわたって所定以上の光度を実現することができる。
【図面の簡単な説明】
【００１６】
【図１】本発明の実施形態に係る灯器の正面側を示す全体斜視図である。
【図２】上記灯器の正面図である。
【図３】上記灯器の左側面図である。
【図４】図２におけるＡ−Ａ線断面図である。
【図５】図３におけるＢ−Ｂ線断面図である。
【図６】上記灯器における光源ユニットの要部の分解斜視図である。
【図７】上記光源ユニットにおけるリフレクタユニットの底面図である。
【図８】上記リフレクタユニットの正面図である。
【図９】上記リフレクタユニットの左側面図である。
【発明を実施するための形態】
【００１７】
以下、図面を参照しながら、本発明の実施形態を説明する。本実施形態では、灯器として、船灯の一種である両色灯（舷灯）を例に挙げて説明する。
【００１８】
図１〜図５は、本発明の一実施形態に係る両色灯１００を示しており、図１は正面側から見た全体斜視図、図２は正面図、図３は左側面図、図４は、図２におけるＡ−Ａ線断面図、図５は、図３におけるＢ−Ｂ線断面図である。
【００１９】
両色灯１００は、図において、Ｚ軸方向を上下方向（縦方向）として主に使用される。また、以降の説明では、Ｚ軸方向を上下方向とし、ＸおよびＹ軸方向を水平面内の直交する２軸方向とする。
【００２０】
本実施形態の両色灯１００は、光源ユニット１０と、収容体４０と、リッド７０と、ベース８０と、ルーバ９０とを有する。光源ユニット１０、アウターカバー２０、ベースカバー６０、リッド７０およびベース８０の各部品は、概ね円筒形状を有して構成されている。
【００２１】
収容体４０は、透光性を有する樹脂材料で構成されたアウターカバー５０と、このアウターカバー５０に装着されたベースカバー６０とを有する。光源ユニット１０は、収容体４０の内部に配置される。リッド７０は、アウターカバー５０の上部に装着される。ベース８０は、ベースカバー６０の下部に装着される。
【００２２】
アウターカバー５０は、透光性材料で構成され、主に光源ユニット１０からの光を外部に出射させる側周部５３を有する。アウターカバー５０の下端は開口され、また、ベースカバー６０の、その一端に対面する上端は開口されている。アウターカバー５０には、外方へ突設された突設部５１が設けられ、また、ベースカバー６０にもその突設部５１の形状に概ね対応する形状を有する突設部６１が設けられている。これら突設部５１および６１は、複数のネジ部材Ｎ１で締結され、これによりアウターカバー２０およびベースカバー６０が相互に接続される。また、これらの突設部５１および６１の間には、シールリング５９（図４，５）が介在されている。さらに、これら突設部５１および６１を貫通する複数のネジ部材Ｎ２によって、収容体４０とベース８０とが相互に接続される。
【００２３】
アウターカバー５０の上部中央には開口５２が形成され、その開口５２を介して収容体４０内の空気圧が外気圧（大気圧）に維持される。突設部５１の上面には、ルーバ９０の羽根部９５と係合する係合溝５５を有する。リッド７０にも、アウターカバー５０と同様に、ルーバ９０の羽根部９１と係合する係合溝７５を有する。ルーバ９０は、側周部５３から光の出射範囲（射光範囲）を所定角度（本例では２２５°）に制限する円弧状の遮光部材であり、リッド７０と係合溝５５との間に配置される。リッド７０は、複数のネジ部材Ｎ３によって、アウターカバー５０に固定される。
【００２４】
（光源ユニットの構成）
図５に示すように、光源ユニット１０は、第１の光源１５１および第２の光源１５２を搭載した光源基板１１と、リフレクタユニット２０と、インナーカバー３０とを有する。
【００２５】
第１および第２の光源１５１，１５２は、固体発光素子であるＬＥＤ（Light Emitting Diode）で構成される。第１および第２の光源１５１，１５２は、それぞれ異なる波長域の可視光を出射可能なＬＥＤで構成される。本実施形態において、第１の光源１５１は、緑色光を出射可能なＬＥＤで構成され、第２の光源１５２は、赤色項を出射可能なＬＥＤで構成される。
【００２６】
図６は、光源ユニット１０の要部の分解斜視図である。
【００２７】
光源基板１１は、Ｚ軸（第１の軸）に直交するＬＥＤ搭載面を有しており、第１および第２の光源１５１，１５２は、Ｚ軸と直交するＸ軸方向に相互に対向して配置される。光源基板１１は、インナーカバー３０の支持板３３の上面に配置される。
【００２８】
光源基板１１および支持板３０は、ＸＹ平面に平行な平面で形成されている。光源基板１１には、支持板３３の上面に設けられた複数の嵌合突起３３ａと嵌合する複数の嵌合孔１０ａが設けられるとともに、支持板３３に設けられた複数のネジ孔３３ｂと整列する複数のネジ挿通孔１０ｂが設けられる。光源基板１１は、嵌合突起３３ａとの嵌合作用によって位置決めされた後、複数のネジ部材（図示略）を介して支持板３３上に固定される。
【００２９】
図７はリフレクタユニット２０の底面図、図８は同正面図、図９は同側面図である。
【００３０】
リフレクタユニット２０は、リフレクタ１２と、仕切板１３とを有する。リフレクタ１２は、第１の反射体１２１と第２の反射体１２２とを有し、仕切板１３は、第１の反射体１２１と第２の反射体１２２との間に配置される。第１の反射体１２１および第２の反射体１２２はそれぞれ、仕切板１３に関して対称な形状を有する。
【００３１】
第１の反射体１２１は、第１の光源１５１から出射した光をＺ軸まわりの第１の角度範囲にわたって反射することが可能に構成される。第１の角度範囲としては、例えば、正面方向（Ｙ軸の正の方向）から右方へ１１２．５°の範囲とされる。
【００３２】
本実施形態において第１の反射体１２１は、第１の頂部１２１ａと、複数の第１の円弧状凸面部１２１ｃとを有する。第１の頂部１２１ａは、Ｚ軸方向に第１の光源１５１と対向する。複数の第１の円弧状凸面部１２１ｃは、第１の頂部１２１ａを中心とする回転曲線からなる第１の曲面体１２１ｂ上に設けられ、第１の頂部１２１ａを中心として同心円状に配列される。
【００３３】
一方、第２の反射体１２２は、第２の光源１５２から出射した光を上記第１の角度範囲とは異なるＺ軸まわりの第２の角度範囲にわたって反射することが可能に構成される。第２の角度範囲としては、例えば、正面方向（Ｙ軸の正の方向）から左方へ１１２．５°の範囲とされる。
【００３４】
本実施形態において第２の反射体１２２は、第２の頂部１２２ａと、複数の第２の円弧状凸面部１２２ｃとを有する。第２の頂部１２２ａは、Ｚ軸方向に第２の光源１５２と対向する。複数の第２の円弧状凸面部１２２ｃは、第２の頂部１２２ａを中心とする回転曲線からなる第２の曲面体１２２ｂ上に設けられ、第２の頂部１２２ａを中心として同心円状に配列される。
【００３５】
仕切板１３は、第１の光源１５１と第２の光源１５２との間に配置され、Ｘ軸およびＺ軸と直交するＹ軸（第２の軸）方向に沿って延びる板状部材で構成される。仕切板１３は、第１の反射体１２１と第２の反射体１２２とを分断するようにリフレクタユニット２０の直径方向に延在し、その長さは、リフレクタユニット２０のＹ軸方向に平行な直径と略同等である。
【００３６】
仕切板１３の先端１３ａは、光源基板１１の表面に接触していてもよいし、当該表面と隙間を介して対向していてもよい。仕切板１３のＸ軸に沿った厚み（幅）は、光源基板１１の表面に向かうにつれて薄くなり、第１および第２の光源１５１，１５２との対向領域には薄肉部１３０が設けられている。これにより第１及び第２の光源１５１，１５２を相互に近接して配置することが可能となる。
【００３７】
第１の反射体１２１および第２の反射体１２２は共通のベース部１２０を有している。第１の曲面体１２１ｂおよび第２の曲面体１２２ｂは、概略的には１つの回転曲線を仕切板１３で２つに分割した個々の曲面体で構成され、仕切板１３の厚みの分だけ当該回転曲線の軸心がＸ軸方向に沿って２つに分かれ、当該１つの頂部が２つの頂部１２１ａ，１２２ａに分割された態様を呈する。このため複数の第１および第２の円弧状凸面部１２１ｃ，１２２ｃは、Ｘ軸方向に長軸を有する長円の部分円弧形状を有する。
【００３８】
第１の反射体１２１および第２の反射体１２２のマクロ的な形状は、二次曲面（例えば放物面や楕円面）とされる。すなわち図５に示す断面で見て、第１および第２の反射体１２１，１２２の断面のマクロ的な形状は、それぞれ二次曲線を描く。これら二次曲線を第１および第２の頂部１２１ａ，１２２ａの中心を通る中心軸の周りに回転させた回転曲線によって、第１および第２の曲面体１２１ｂ，１２２ｂがそれぞれ構成される。第１および第２の曲面体１２１ｂ，１２２ｂは、各々の中心軸側に凸なる形状の二次曲面で構成され、その具体的な形状は、両色灯１００に要求される光学特性に応じて決定される。
【００３９】
複数の円弧状凸面部１２１ｃ，１２２ｃはそれぞれ、頂部１２１ａ，１２２ａを中心として同心円状にそれぞれ配列されている。複数の円弧状凸面部１２１ｃ，１２２ｃはそれぞれ、曲面体１２１ｂ，１２２ｂの表面に沿って各々配列された、曲面体１２１ｂ，１２２ｂの表面から外側に突出する凸状の曲面で形成される。個々の円弧状凸面部１２１ｃ，１２２ｃは、周方向にほぼ等価な形状を有するとともに、頂部１２１ａ，１２２ａからベース部１２０に向かって半径が徐々に大きくなるように形成される。
【００４０】
円弧状凸面部１２１ｃ，１２２ｃを構成する曲面部の曲率半径は、曲面体１２１ｂ，１２２ｂの半径位置に応じて異なっており、その大きさは特に限定されず、光学仕様に応じて適宜設定され、例えば１ｍ〜１００ｍの範囲に設定される。円弧状凸面部１２１ｃ，１２２ｃの凸部の高さも特に限定されず、曲面体１２１ｂ，１２２ｂの半径位置に応じて適宜設定可能であり、例えば、最大で０．２５ｍｍ程度に設定される。
【００４１】
円弧状凸面部１２１ｃ，１２２ｃの配列ピッチは特に限定されず、要求される光学特性に応じて適宜設定される。本実施形態では、頂部１２１ａ，１２２ａからベース部１２０に向かって、円弧状凸面部１２１ｃ，１２２ｃの配列ピッチが大きくなるように構成される。
【００４２】
リフレクタ１２（第１および第２の反射体１２１，１２２）および仕切板１３は、それぞれ一体成形された単一の部材であるリフレクタユニット２０として構成される。これにより光源ユニット１０の構成を簡素化できるとともに、光源ユニット１０の部品点数を削減して組立作業性や組立精度の向上を図ることができる。
【００４３】
本実施形態では、リフレクタユニット２０は、樹脂材料の射出成形体で構成され、第１および第２の反射体１２１，１２２が銀やアルミニウム等の光反射性の高い金属膜で被覆され、仕切板１３は光吸収性の高い黒色で着色されている。
【００４４】
インナーカバー３０は、透光性の樹脂材料で構成され、概略円筒形状を有する。インナーカバー３０の内部には光源基板１１を支持する円盤状の支持板３３が設けられる。支持板３３は、インナーカバー３０の内部を２つの領域に区画し、支持板３３と第１の周壁部３１とで区画されるインナーカバー３０の上方空間がリフレクタユニット２０の収容空間とされ、支持板３３と第２の周壁部３２とで区画されるインナーカバー３０の下方空間が回路基板１８の収容空間とされる。なお、第２の周壁部３２には上下方向に延在する複数の溝が設けられ、これにより灯器外部から当該下方空間の視認性が阻害されている。
【００４５】
回路基板１８は、支持板３３の下面に設けられた支持柱３４に固定される。回路基板１８は、光源基板１１に電気的に接続され、第１および第２の光源１５１，１５２の発光の制御や発光状態の監視等を行う。回路基板１８は、ベースカバー６０の中心部に設けられた開口部６２およびベース８０の中心部に設けられた開口部８２を介して外部のコントローラ（図示略）に電気的に接続される。
【００４６】
第１の周壁部３１の上端は、リフレクタユニット２０のベース部１２０を支持する。すなわちベース部１２０は、アウターカバー５０の上端周縁部５４（図５）と第１の周壁部３１の上端との間に挟持される。これにより、第１の光源１５１および第１の反射体１２１とを含む右舷灯部１０Ｒと、第２の光源１５２および第２の反射体１２２とを左舷灯部１０Ｌとが構成される（図５）。
【００４７】
第１の周壁部３１は、第１の反射体１２１および第２の反射体１２２で反射された光を透過させる出射窓として機能し、アウターカバー５０の側周部５３を介して右舷光を示す緑色の光と左舷光を示す赤色の光を外部へ照射する。
【００４８】
（両色灯の動作）
以上のように構成される本実施形態の両色灯１００においては、光源基板１１上の第１および第２の光源１５１，１５２が同時に点灯し、それらの出射光が各々第１および第２の反射体１２１，１２２で反射される。第１および第２の反射体１２１，１２２で反射された光は、インナーカバー３０の第１の周壁部３１およびアウターカバー５０の側周部５３を介して、ルーバ９０および仕切板１３で制限された所定の角度範囲（第１および第２の角度範囲）に出射する。
【００４９】
本実施形態に係る両色灯１００は、照射範囲毎に独立した光源（１５１，１５２）および反射体（１２１，１２２）を有するため、照射光の光学設計を最適化でき、所定の角度範囲にわたって所定以上の光度を容易に実現することが可能となる。
【００５０】
また本実施形態においては、各反射体１２１，１２２の円弧状凸面部１２１ｃ，１２２ｃによって、光源１５１，１５２からの光をそれぞれ拡散させるように反射することができる。すなわち、点光源であるＬＥＤを用いた場合であっても、反射体が連続鏡面で構成される場合と比較して、各光源１５１，１５２の出射光は、円弧状凸面部の曲面によって両色灯１００の軸方向（ｚ方向）に拡散されつつ、両色灯１００の周方向（ｘｙ平面方向）に反射されることになる。これにより軸方向へより広い照射範囲にわたって、所定値以上の光度を実現することが可能となる。
【００５１】
また、個々の円弧状凸面部１２１ｃ，１２２ｃにおける光の拡散機能により、光源の配置誤差や周辺の付属物、寸法公差等による影響が緩和されことになる。これにより周方向および軸方向の所定範囲にわたって光度のバラツキを抑えつつ、所定値以上の光度を実現することが可能となる。
【００５２】
さらに、複数の円弧状凸面部１２１ｃ，１２２ｃは、頂部１２１ａ，１２２ａからベース部１２０に向かって配列ピッチが大きくなるように形成されている。これにより曲面体の曲率の変化に応じて円弧状凸面部の配列ピッチを最適化することができ、光学設計自由度を向上させることができる。
【００５３】
より具体的には、光源１５１，１５２から遠ざかるに従って、円弧状凸面部１２１ｃ，１２２ｃの配列ピッチが大きくなるため、光源１５１，１５２からの光の出射角（拡散角）に対応した円弧状凸面部１２１ｃ，１２２ｃの最適化が図れる。これにより光源１５１，１５２からの出射光を効率よく利用でき、両色灯１００の周方向及び軸方向への所定以上の光度を容易に実現することが可能となる。
【００５４】
本発明者らの実験によれば、周方向に対する軸方向（ｚ方向）の角度が−５°〜５°の範囲において平行な光線を照射できるとともに、特定のｚ位置での周方向における最大光度と最小光度との差が１．５倍以内（特定のｚ位置での周方向における最大光度がその最小光度の１．５倍以下）の均一な光を得ることができることが確認された。
【００５５】
さらに本実施形態においては、第１および第２の反射体１２１，１２２が仕切板１３に関して対称な形状を有するため、第１および第２の角度範囲に照射される光の光学特性を共通にすることができる。そして、リフレクタ１２および仕切板１３が単一のリフレクタユニット２０で構成されているため、部材の共通化、組立ての簡素化を図ることができるとともに、小型のリフレクタユニットを構成することが可能となる。
【００５６】
以上、本発明の実施形態について説明したが、本発明は上述の実施形態にのみ限定されるものではなく、本発明の要旨を逸脱しない範囲内において種々変更を加え得ることは勿論である。
【００５７】
例えば以上の実施形態では、光源として単数又は複数のＬＥＤ１５を用いたが、これら点光源に代えて、ＥＬ素子等の面光源やＣＣＦＬ等の線光源が採用されてもよい。
【００５８】
また以上の実施形態では、第１および第２の光源１５１，１５２をそれぞれ異なる波長域の可視光を発光可能なＬＥＤで構成されたが、これに限られず、各光源を白色光を出射するＬＥＤで構成するとともに、周壁部４１の各光透過領域がそれぞれ所定の色（例えば緑色と赤色）に着色されてもよい。
【００５９】
さらに以上の実施形態では、灯器を船体に装備される両色灯として説明したが、航空機体に取り付けられる灯器、あるいは、標識灯としても利用可能である。この場合、照射方向に応じて異なる光学特性が要求される場合には、第１および第２の反射体１２１，１２２は仕切板１３に関して非対称な形状に構成されてもよい。すなわち上記各反射体は、各々最適な光学特性が得られるように相互に異なる形状で構成されてもよい。
【符号の説明】
【００６０】
１０…光源ユニット
１１…光源基板
１２…リフレクタ
１３…仕切板
２０…リフレクタユニット
３０…インナーカバー
３１…第１の周壁部
５０…アウターカバー
１００…両色灯
１２１…第１の反射体
１２１ａ…第１の頂部
１２１ｃ…第１の円弧状凸面部
１２２…第２の反射体
１２２ａ…第２の頂部
１２２ｃ…第２の円弧状凸面部
【図１】
2015076260.tif 000003
【図２】
2015076260.tif 000004
【図３】
2015076260.tif 000005
【図４】
2015076260.tif 000006
【図５】
2015076260.tif 000007
【図６】
2015076260.tif 000008
【図７】
2015076260.tif 000009
【図８】
2015076260.tif 000010
【図９】
2015076260.tif 000011